(57)【特許請求の範囲】
【請求項１】
電動送風機を収納する電動送風機室と集塵室とを有する掃除機本体と、前記集塵室に連通され先端部に開口を有し内部に収納室を設けるとともにこの収納室の周壁に軸方向に沿って形成されたガイド溝とこのガイド溝に沿って所定距離離間して形成された係止部が設けられた吸込管と、前記収納室の内周壁との間にバイパス空間を形成するように収納室の内径よりも径小の外形に形成されるとともに係合凹部を有する筒状部とこの筒状部から延出して形成され内部に連通孔を有する断面略方形状に形成されたノズル部からなり、このノズル部を前記吸込管の開口から出没可能にして前記収納室に収納された隙間ノズルと、前記ガイド溝に沿って移動する軸部、この軸部の前記収納室の内側の端部に設けられ前記ガイド溝の溝幅よりも大きく形成されるとともに前記係合凹部に移動可能に係合する係合部、前記軸部の他端側に設けられ前記係止部に係脱する被係止部からなる操作つまみと、前記係合凹部内に配設され前記係合部を介して前記被係止部を係止部に係合させるように付勢する付勢手段とを備えたことを特徴とする電気掃除機。
【請求項２】
請求項１記載の発明において、前記吸込管の開口に他の吸込み具を着脱可能とする嵌合部を形成したことを特徴とする電気掃除機。
【請求項３】
前記吸込管の収納室に前記隙間ノズルをそのノズル部を吸込管の開口から突出させる方向に付勢するコイルばねを配設したことを特徴とする請求項１記載または請求項２記載の電気掃除機。
【請求項４】
電動送風機を収納する電動送風機室と集塵室とを有する掃除機本体と、前記集塵室に連通され先端部に他の吸込み具が着脱可能に接続される接続口を有するとともに両側にそれぞれ軸方向に沿って形成されたガイド部を有する収納部を設けた吸込管と、前記ガイド部にガイドされる被ガイド部を有し前記接続口よりも前方に突出可能に前記収納部に収納可能に設けられ、突出状態で互いの対向面によって狭小な間隙を形成して隙間ノズルを形成する隙間ノズル形成部材を備えたことを特徴とする電気掃除機。
【請求項５】
前記両隙間ノズル部材を突出した際に両隙間ノズル部材の少なくとも前記接続口側上部を覆う覆い部材を設けたことを特徴とする請求項４記載の電気掃除機。
【発明の詳細な説明】
【０００１】
【発明の属する技術分野】
この発明は、電動送風機によって生じる吸込み気流によって吸込んだ塵埃を集塵フィルターによって除去する電気掃除機に関し、とくに隙間ノズルの取扱いを容易としたものに関する。
【０００２】
【従来の技術】
従来の電気掃除機においては、掃除に際して窓枠の敷居溝等狭小な溝部に滞積した塵埃を除去する場合は、一般にツル口等と呼ばれている隙間ノズルを用いてなされるものである。この隙間ノズルは、上述のように敷居溝等の掃除の際に、吸込みホースの先端部に設けられた握り管あるいは握り管に接続された延長管等の吸込管に接続して用いられるものであり、いわゆる床ブラシのように常時使用されるものではなく比較的使用頻度は少ないものであり、吸込管に床ブラシを接続して使用している際は、隙間ノズルは吸込管から取り外されて別の場所に収納しておくものである。
【０００３】
そして、この不使用時における隙間ノズルの収納する方法の一つの方法としては、図１５に示すように掃除機本体３００の後部に挟持溝３０２を有する収納部３０１を設け、この収納部３０１の挟持溝３０２に隙間ノズル３０５を挟持させて収納するものであり、また、別の方法としては、図１６に示すように、吸込みホース３１０の先端部に設けた握り管３１１の下側に互いに対向する一対の挟持片３１２からなる取付部３１３を設け、この取付部３１３つまり挟持片３１２、３１２によって隙間ノズル３０５を挟持して収納するものである。
【０００４】
そして、前者の収納方法では、隙間ノズル３０５を使用する場合その都度掃除機本体３００の収納部３０１から取り出し、また、使用済み後は収納部３０１に収納しなければならないことから、使い勝手が悪いという問題がある。
【０００５】
また、後者の収納方法では、前者のように使用の都度掃除機本体３００の収納部３０１から取り出し、また、収納するという煩わしさはないものの、握り管３１１を持って掃除をしている間に例えば、握り管３１１に接続された図示しない延長管の先端に取り付けられた床ブラシを床面上を走行させて掃除をしている際に、床ブラシが壁あるいは家具等に当った際の衝撃により取付部３１３から外れて落下し、また、収納時等に外れてしまう等の問題がある。また、収納部３０１あるいは取付部３１３に収納あるいは取り付ける構成であることから場合によっては紛失してしまう等の問題がある。
【０００６】
【発明が解決しようとする課題】
上述のように、従来の隙間ノズルの収納方法では、隙間ノズルを使用の都度掃除機本体に設けた収納部から取り出し、使用済み後は再び収納しなければならないことから、使い勝手が悪く、また、握り管に設けた取付部に取り付けて収納する方法では掃除中に床ブラシが壁等に当たった際の衝撃によりあるいは収納時等に隙間ノズルが取付部から外れてしまう等の問題がある。また、隙間ノズルは単独で取り扱われるものであることから場合によっては紛失してしまう等の問題がある。
【０００７】
【課題を解決するための手段】
この発明は上記事情に鑑みなされたものであり、請求項１記載の発明は、電動送風機を収納する電動送風機室と集塵室とを有する掃除機本体と、前記集塵室に連通され先端部に開口を有し内部に収納室を設けるとともにこの収納室の周壁に軸方向に沿って形成されたガイド溝とこのガイド溝に沿って所定距離離間して形成された係止部が設けられた吸込管と、前記収納室の内周壁との間にバイパス空間を形成するように収納室の内径よりも径小の外形に形成されるとともに係合凹部を有する筒状部とこの筒状部から延出して形成され内部に連通孔を有する断面略方形状に形成されたノズル部からなり、このノズル部を前記吸込管の開口から出没可能にして前記収納室に収納された隙間ノズルと、前記ガイド溝に沿って移動する軸部、この軸部の前記収納室の内側の端部に設けられ前記ガイド溝の溝幅よりも大きく形成されるとともに前記係合凹部に移動可能に係合する係合部、前記軸部の他端側に設けられ前記係止部に係脱する被係止部からなる操作つまみと、前記係合凹部内に配設され前記係合部を介して前記被係止部を係止部に係合させるように付勢する付勢手段とを備えた電気掃除機としたものである。
【０００８】
このように構成した請求項１記載の発明は、掃除機本体の集塵室に連通され先端部に開口を有し内部に収納室を設けるとともに、この収納室の周壁に軸方向に沿って形成されたガイド溝とこのガイド溝に沿って所定距離離間して形成した係止部が設けられた吸込管を設け、前記収納室の内周壁との間にバイパス空間を形成するように外径を収納室の内径よりも径小とするとともに係合凹部を有する筒状部と、この筒状部から延出して形成され内部に連通孔を有する断面略方形状に形成されたノズル部からなる隙間ノズルを、前記ノズル部を前記開口から出没可能にして収納室に収納し、また、操作つまみに設けた被係止部を前記係止部から離脱させて隙間ノズルを移動させることによりノズル部を前記開口から出没させるように構成したことから、操作つまみの操作により収納室に収納されている隙間ノズルのノズル部を吸込管の開口から出没させるだけで、隙間ノズルを使用状態および不使用状態とすることができるためその操作が容易であるとともに、隙間ノズルは吸込管の収納室に収納されているため使用中の脱落および紛失を防止できるという作用を有するものである。
【０００９】
請求項２記載の発明は、上記請求項１記載の発明における吸込管の開口に他の吸込み具を着脱可能とする嵌合部を形成した電気掃除機としたものである。
【００１０】
このように構成した請求項２記載の発明は、上記請求項１記載の発明における吸込管の開口に他の吸込み具を着脱可能とする嵌合部を形成する構成としたことから、請求項１記載の発明の作用に加えて、吸込管に他の吸込み具を接続できることから種々の被掃除面の掃除ができるという作用を有するものである。
【００１１】
また、請求項３記載の発明は、請求項１記載または請求項２記載の発明において、吸込管の収納室に前記隙間ノズルをそのノズル部を吸込管の開口から突出させる方向に付勢するコイルばねを配設した電気掃除機としたものである。
【００１２】
このように請求項３記載の発明は、請求項１記載または請求項２記載の発明において、吸込管の収納室に前記隙間ノズルをそのノズル部を吸込管の開口から突出させる方向に付勢するコイルばねを配設した構成としたことから、請求項１記載の発明または請求項２記載の発明の作用に加えて、隙間ノズルのノズル部を開口から突出させる場合、操作つまみの操作により、被係止部を開口から離れている係止部から離脱させることにより前記コイルばねの付勢力により自動的に突出させることができるという作用を有するものである。
【００１３】
また、請求項４記載の発明は、電動送風機を収納する電動送風機室と集塵室とを有する掃除機本体と、前記集塵室に連通され先端部に他の吸込み具が着脱可能に接続される接続口を有するとともに両側にそれぞれ軸方向に沿って形成されたガイド部を有する収納部を設けた吸込管と、前記ガイド部にガイドされる被ガイド部を有し前記接続口よりも前方に突出可能に前記収納部に収納可能に設けられ、突出状態で互いの対向面によって狭小な間隙を形成して隙間ノズルを形成する隙間ノズル形成部材を備えた電気掃除機としたものである。
【００１４】
このように請求項４記載の発明は、掃除機本体の集塵室に連通され先端部に他の吸込み具が着脱可能に接続される接続口を有するとともに両側にそれぞれ軸方向に沿って形成されたガイド部を有する収納部を設けた吸込管と、前記ガイド部にガイドされる被ガイド部を有し前記接続口よりも前方に突出可能に前記収納部に収納可能に設けられ、突出状態で互いの対向面によって狭小な間隙を形成して隙間ノズルを形成する隙間ノズル形成部材を設け、隙間ノズルの使用時には隙間ノズル形成部材を接続口の前方に突出させて隙間ノズルを形成し、不使用時には収納部に収納して接続口よりも突出させないようにしたことから、使用および不使用時には収納部に収納されている隙間ノズル形成部材を吸込管の接続口よりも前方に突出あるいは突出させないようにするだけでよいことから、隙間ノズルの使用および不使用とする操作を容易とすることができるとともに、隙間ノズルは吸込管の収納室に収納されていることから使用中の脱落および紛失を防止できるという作用を有するものである。
【００１５】
また、請求項５記載の発明は、請求項４記載の発明において両隙間ノズル形成部材を突出した際に両隙間ノズル形成部材の少なくとも接続口側上部を覆う覆い部材を設けた電気掃除機としたものである。
【００１６】
このように請求項５記載の発明は、請求項４記載の発明において前記両隙間ノズル形成部材を突出した際に両隙間ノズル形成部材の少なくとも前記接続口側上部を覆う覆い部材を設けたことから、請求項４記載の発明の作用に加えて、両隙間ノズル形成部材の少なくとも接続口側上部が覆い部材によって覆われることか吸塵力を高めることができるという作用を有するものである。
【００１７】
【発明の実施の形態】
つぎに、この発明の実施の形態を図１ないし図８に基づいて説明する。
【００１８】
図１に示すように電気掃除機（以下単に掃除機という）１は、掃除機本体１０、掃除機本体１０に接続される吸込みホース２０、この吸込みホース２０に直接あるいは延長管２を介して接続される床ブラシ等の吸込口体３等から構成されている。
【００１９】
そして、前記掃除機本体１０の本体ケース１０ａの内部には、電動送風機１１を収納する電動送風機室１２、この電動送風機室１２の上流側に設けられ集塵装置１３を収納する集塵室１４が設けられている。また、本体ケース１０ａの前部には前記集塵室１４に連通する接続口１５が形成されている。
【００２０】
そして、前記吸込みホース２０の一端側には接続口体２１が取り付けられており、この接続口体２１は前記接続口１５に着脱可能に接続されるようになっており、この接続口体２１を介して吸込みホース２０は掃除機本体１０に接続されるものである。また、吸込みホース２０の他端側には後に詳述する吸込管としての握り管１００が接続され、この握り管１００の先端部に設けられた開口１１４ａには着脱可能な前記延長管２が接続され、この延長管２には前記吸込口体３が着脱可能にして接続されている。
【００２１】
つぎに、前記握り管１００について説明する。
【００２２】
この握り管１００は図２、図３に示すように上部管１１０と、この上部管１１０に図４に示すようにシール部材１０２（図２、図３では不図示）を介して気密的に取り付けられる下部管１２０とから構成されている。
【００２３】
そして、前記上部管１１０は図３に示すように、下方側を開口１１２し軸方向と直交する方向の断面が略半円筒状の樋状に形成された径大筒部１１３とこの径大筒部１１３の前端および後端部に一体に形成され開口としての連通孔１１４ａを有する管部１１４および連通孔１１５ａを有する管部１１５とから形成れている。また、前記管部１１４および管部１１５の前記径大筒部１１３の開口１１２の両開口縁１１２ａ、１１２ａの開口面を通る面より下側は、半円形の開口縁１１４ｂおよび１１５ｂとなっている。また、前記径大筒部１１３は前記管部１１４および１１５の外形よりも大きく形成され、径大筒部１１３の内周壁は管部１１４および１１５のそれぞれの連通孔１１４ａおよび１１５ａに向けた傾斜壁１１６ａおよび１１６ｂとなっている。なお、前記傾斜壁１１６ａは後述する隙間ノズル１４０が前方に移動した際に隙間ノズル１４０に形成された傾斜壁１４７に面接触して当接するようになっている。
【００２４】
また、前記管部１１４の前記連通孔１１４ａは先端部に向けて拡開するテーパーに形成され、このテーパーは他の吸込み具等例えば延長管２、吸込口体３、図示しない家具用ブラシ等を着脱可能とする嵌合部を構成しているものである。なお、これらの吸込み具等を確実に取り付けるためには、例えば、図８に示すように管部１１４にクランプ収納部１１４ｃを設け、このクランプ収納部１１４ｃに軸１６１によって回動可能に支持され一端部に係合爪１６２ａ、他端部に操作ボタン１６２ｂを設けたクランプ部材１６２、操作ボタン１６２ｂを常時貫通孔１１４ｄから突出させるとともに係合爪１６２ａを管部１１４に設けた貫通孔１１４ｅから内側に突出される付勢ばね１６３からなるクランプ１６０を配設し、また、他の吸込み具等の接続管１６５に前記係合爪１６２ａが係合する係合凹部１６４を形成する構成としてもよいものである。
【００２５】
また、前記管部１１５には径大部１１５ｃが形成され、この径大部１１５ｃには前記吸込みホース２０の他端が接続されており、また、前記握り管１００には把手１０５が後方に向けて形成されている。また、握り管１００に前記把手１０５の前方に位置して掃除機１を制御する複数の操作釦１０５ａが設けられている。
【００２６】
また、前記両開口縁１１２ａの開口面にはそれぞれ２個のねじ穴１１２ｂが形成されている。また、前記径大筒部１１３の内周壁には図３に示すように軸方向に沿って形成された２本の案内リブ１１７が形成されており、この案内リブ１１７の後端部にはばね受け段部１１７ａが形成されている。
【００２７】
つぎに、前記下部管１２０について説明する。
【００２８】
この下部管１２０は図３に示すように、平坦面とした底壁１２１ａとこの底壁１２１ａに連続した両側壁１２１ｂからなり軸方向と直交する方向の断面を略コ字状とするとともに上方側を開口１２２とした舟形状に形成され、前記開口１２２の開口縁１２２ａ、１２２ａは前記上部管１１０の径大筒部１１３の開口１１２の開口縁１１２ａ、１１２ａと互いに対応するように形成され、また、両開口縁１２２ａの開口面には前記開口縁１１２ａの開口面に設けられたねじ孔１２２ｂに対応したねじ孔１２２ｂが形成されている。
【００２９】
また、下部管１２０の両端部には前記管部１１４および１１５の下側は半円形の開口縁１１４ｂおよび１１５ｂに気密的に嵌合する嵌合面１２３および１２４が形成され、また、下部管１２０の内周壁つまり底壁１２１ａおよび両側壁１２１ｂから前記嵌合面１２３および１２４に向けた周壁は傾斜壁１２６ａおよび１２６ｂとなっている。
【００３０】
また、下部管１２０の底壁１２１ａには、図３、図６に示すように軸方向に沿って形成されたガイド溝１２５が形成され、このガイド溝１２５の軸方向に沿うとともに所定距離離間して係止部としての係止溝１２６がガイド溝１２５と直交するとともにガイド溝１２５に連通して形成され、また、前記底壁１２１ａには前記上部管１１０に形成された案内リブ１１７に形成したばね受け段部１１７ａに対応して形成された２個のばねの受け部１２７が形成されている。
【００３１】
そして、前記上部管１１０と下部管１２０とは前記開口縁１１２ａおよび開口縁１２２ａのそれぞれの開口面の間に図４に示すようにシール部材１０２を介在させてねじ１２８により一体的に結合され、このことによって握り管１００は形成つまり組み立てられるものである。そして、上部管１１０と下部管１２０を結合して形成された握り管１００の内部には軸方向と直交する方向の断面が略円形状の収納室１０１が形成されるものである。
【００３２】
また、前記下部管１２０の前記底壁１２１ａの外側には図３に示すようにゴム板等からなるシール板１２９が接着等によって取り付けられており、このシール板１２９には前記ガイド溝１２５に対応して形成されたスリット１２９ａが形成され、このスリット１２９ａは互いの対向するスリット面が密着し常時は気密状態となっており、外部からの空気の流入を防止できるようになっているものである。なお、このシール板１２９は図示しないがさらに合成樹脂等で形成されるとともに前記スリット１２９ａに対応するとともにガイド溝１２５と同じ寸法の溝を形成したカバーで覆うようにしてもよいものである。
【００３３】
つぎに、前記ガイド溝１２５に案内されて握り管１００の軸方向に沿って移動する操作つまみ１３０について説明する。この操作つまみ１３０は、前記ガイド溝１２５に沿って移動する軸部１３１、この軸部１３１の一端つまり前記収納室１０１内に位置する端部に一体に形成され前記ガイド溝１２５の溝幅よりも大きい幅寸法つまり直径とすることにより前記軸部１３１のガイド溝１２５からの抜け止め防止するとともに後述する隙間ノズル１４０に形成された係合凹部１４３に移動可能に係合する係合部１３２、この係合部１３２と軸部１３１に亘って設けられ前記係止溝１２６に係脱する被係止部としての係止突起１３３、前記軸部１３１の他端部に取り付けられる方形状の操作片１３４から構成されている。この操作片１３４には前記軸部１３１の端部が固定的に嵌合される嵌合穴１３５が形成されている。また、前記係合部１３２には凹部１３２ａが形成されている。
つぎに、この操作つまみ１３０を前記握り管１００つまり下部管１２０のガイド溝１２５への取り付け方について説明する。まず、前記軸部１３１を、係合部１３２を収納室１０１側にしてその先端部を前記ガイド溝１２５およびシール板１２９のスリット１２９ａを貫通させ、ついでその先端部を前記操作片１３４の嵌合穴１３５に圧入するとともに接着剤により接着して取り付ける。この状態では操作つまみ１３０はガイド溝１２５に沿って移動可能となっており、また、係止突起１３３が前記係止溝１２６に係止することにより位置決めされるようになっている。
【００３４】
つぎに、前記握り管１００の収納室１０１に収納される隙間ノズル１４０について説明する。
【００３５】
この隙間ノズル１４０は図２ないし図５に示すように、筒状部１４１とこの筒状部１４１から前方に延出して断面略方形状に形成されたノズル部１４６から構成されており、筒状部１４１の外径は前記収納室１０１の内周壁の内径よりも小さい外径寸法に設定され、前記収納室１０１と前記筒状部１４１の外周の間に軸方向に沿うバイパス空間Ｇ（図４参照）が形成されるようになっている。また、前記筒状部１４１の上側外周には、図に示すように前記上部管１１０の内周面に形成された２本の案内リブ１１７に沿ってスライド可能な嵌合溝１４２が形成され、また、下側外周には台部１４５が形成され、この台部１４５の中央部には前記係合凹部１４３が形成され、また、台部１４５には前記係合凹部１４３を間にして両側下面に位置して一対の摺動リブ１４５ａが形成されており、この摺動リブ１４５ａは隙間ノズル１４０が移動する際に、前記下部管１２０の底壁１２１ａとの摩擦抵抗を低減して隙間ノズル１４０をスムーズに移動させるように機能するものである。また、前記筒状部１４１の後端縁には環状のばね受部１４２ａが形成されている。
【００３６】
そして、この筒状部１４１の前部にはこの筒状部１４１の上下方向の中心線を中心線とした断面が略方形状の前記ノズル部１４６が一体に形成されており、このノズル部１４６と筒状部１４１は傾斜壁１４７を介して一体的に形成されており、この傾斜壁１４７は前記収納室１０１の傾斜壁つまり上部管１１０の傾斜壁１１６ａおよび下部管１２０の傾斜壁１２６ａに面接触して当接して外部からの空気の流れ込みを防止するようになっている。
【００３７】
また、前記ノズル部１４６の先端は、掃除中に斜め上方から前記先端部を敷居等の溝に上方から挿入された際に溝面に対向するようにいわゆる剣先形状に形成されている。また、当然のことであるが前記筒状部１４１とノズル部１４６の内部は連通孔によって連通しており、この連通孔を通して塵埃が吸い込み気流とともに吸い込まれ前記集塵室１４内に配設された集塵装置１３によって集塵されるものである。
【００３８】
また、前記隙間ノズル１４０が前記収納室１０１内を軸方向つまり前後方向に移動した際は、ノズル部１４６は前記管部１１４の連通孔１１４ａ内を前後方向に移動し、隙間ノズル１４０が前方に移動したときはその先端部は図２に示すように、管部１１４の連通孔１１４ａつまり開口から前方に突出し、また、隙間ノズル１４０が後方に移動した際は、図２に二点鎖線で示すように管部１１４内に没入するようになっている。また、隙間ノズル１４０が前方に移動してノズル部１４６が管部１１４から突出した際は上述したように、隙間ノズル１４０の傾斜壁１４７は上部管１１０および下部管１２０の傾斜壁１１６ａおよび傾斜壁１２６ａと当接することから隙間ノズル１４０の外周からの空気の流れ込みは防止されるものである。
【００３９】
また、前記筒状部１４１のばね受け部１４２ａと前記上部管１１０下部管１２０に形成されたそれぞれのばね受け段部１１７ａおよびばね受け部１２７との間には付勢手段としてのコイルばね１５０が配設され、このコイルばね１５０は前記隙間ノズル１４０を常時収納室１０１の前方つまり管部１１４側に向けて付勢しているものである。
【００４０】
また、前記筒状部１４１に形成した係合凹部１４３内には前記操作つまみ１３０の係合部１３２が移動可能に挿入されるとともに、この係合凹部１４３内と係合部１３２の凹部１３２ａ内にはコイルばね１５１が収納されるようになっており、このコイルばね１５１は前記操作つまみ１３０の係合部１３２を下部管１２０の底壁１２１ａ側に向けて付勢するものである。また、操作つまみ１３０は係合部１３２が係合凹部１４３に係合していることから、操作つまみ１３０を移動させることにより隙間ノズル１４０を移動させることができ、逆にコイルばね１５０によって隙間ノズル１４０が管部１１４側に自動的にするときは隙間ノズル１４０とともに移動するものである。そして、この移動の際に操作つまみ１３０は前記コイルばね１５１によって、前記底壁１２１ａ側に付勢されていることから、前記係止突起１３３の先端は、下部管１２０の底壁１２１ａの面に押圧されつつ摺動し、そして、係止溝１２６と対応する位置関係となったときはコイルばね１５１の付勢力により係止突起１３３は係止溝１２６内に落ち込み係合し、この係止突起１３３の係止溝１２６への係合により隙間ノズル１４０はその位置に位置決めされて固定されるものである。
【００４１】
つぎに、握り管１００内に隙間ノズル１４０を収納し握り管１００を組み立てる組み立て方および動作について説明する。
【００４２】
まず、下部管１２０に上述したように、シール板１２９、操作つまみ１３０を取り付けるとともに係合部１３２の凹部１３２ａ内にコイルばね１５１の一端を収納した状態として準備する。ついで、前記隙間ノズル１４０をノズル部１４６の先端部を管部１１４の連通孔１１４ａに挿入するとともに、コイルばね１５０の一端側をばね受け部１４２ａに挿入し、他端側をばね受け段部１１７ａに支持させ、また、前記嵌合溝１４２内に案内リブ１１７を位置決めして上部管１１０の径大筒部１１３内に配置する。この状態では隙間ノズル１４０はコイルばね１５０によって付勢され筒状部１４１は傾斜壁１４７が前記傾斜壁１１６ａに当接して位置決めされている。そして、上部管１１０を径大筒部１１３の開口１１２を上にしてシール部材１０２を開口縁１１２ａの縁面に配置する。ついで、前記下部管１２０をこの下部管１２０に取り付けられている操作つまみ１３０の係合部１３２を凹部１３２ａに収納されたコイルばね１５１の他端側を係合凹部１４３に挿入しコイルばね１５１を圧縮しつつ前記係合凹部１４３内に挿入し、また、ばね受け部１２８にコイルばね１５０の他端を支持させて上部管１１０の開口１１２を覆うようにして配置した後、下部管１２０と上部管１１０とをねじ１２８によって結合することによって、握り管１００は隙間ノズル１４０を収納室１０１に収納した状態として組み立てられる。
【００４３】
つぎに、このように組み立てられた隙間ノズルの動作について説明する。上記のように組み立てられた状態では、隙間ノズル１４０はコイルばね１５０に付勢されて、収納室１０１の前方つまり管部１１４側に移動しており、この状態では上述したように前記傾斜壁１４７は傾斜壁１１６ａおよび１２６ａに圧接状態で面接触しており、また、操作つまみ１３０はコイルばね１５１に付勢されていることから図７（Ａ）に示すように係止突起１３３は係止溝１２６に係合しており、このことによって隙間ノズル１４０は収納室１０１の前方位置に位置決めされ、この時前記ノズル部１４６の先端部は管部１１４の開口としての連通孔１１４ａから突出している。したがって、この状態で敷居の溝等の狭小の溝部の掃除をなすことができるものであり、ノズル部１４６から吸い込まれた塵埃を含んだ吸い込み気流は吸込みホース２０を介して集塵室１４に流入し集塵装置１３によって集塵されるものである。そして、ノズル部１４６の連通孔の流路断面積は小さいことから、吸込み気流の風速は大きいため前記狭小溝内の塵埃を効率よく吸込むことができるものである。
【００４４】
つぎに、前記隙間ノズル１４０を使用することなく、管部１１４の連通孔１１４ａを介して直接集塵をする場合あるいは図１に示すように管部１１４の連通孔１１４ａに吸込口体３を接続した延長管２を接続して掃除をする場合は、操作つまみ１３０の操作片１３４を指によって図７（Ａ）の状態からコイルばね１５１の付勢力に抗して図７（Ｂ）に示すように矢印方向に押し込み係止突起１３３を係止溝１２６から離脱させ、この状態として操作片１３４を握り管１００の後方に向けてスライドさせる（図７（Ｃ）参照）。すると操作つまみ１３０の軸部１３１は前記ガイド溝１２５にガイドされ、また、係合部１３２が隙間ノズル１４０の係合凹部１４３に係合している隙間ノズル１１４０は、操作つまみ１３０とともに収納室１０１内を後方に向かって移動する。そして、操作つまみ１３０を後方に移動させ前記係止突起１３３が後方側の係止溝１２６に対応したとき操作片１３４の押圧を解除すると、係止突起１３３は前記後方の係止溝１２６に係合し、このことによって隙間ノズル１４０はその位置に位置決めされる。そして、この時は図２に二点鎖線で示したように前記ノズル部１４６の先端部は管部１１４の連通孔１１４ａ内に没入する。そして、管部１１４の連通孔１１４ａから直接集塵する場合は、管部１１４の連通孔１１４ａの開口を掃除面に沿って移動させればよく、また、吸込口体３を用いて掃除をする場合は図１に示すように管部１１４の連通孔１１４ａに吸込口体３を接続した延長管２を接続して掃除をすればよいものである。
【００４５】
そして、隙間ノズル１４０のノズル部１４６を管部１１４内に没入させた状態で掃除をする場合は、前記連通孔１１４ａあるいは延長管２を介して吸い込まれた塵埃を含んだ吸込み気流は、流路断面積の小さい隙間ノズル１４０の連通孔および隙間ノズル１４０の外周と収納室１０１の内周壁との間に形成されたバイパス空間Ｇを介して集塵室１４に流れ込むものであることから、収納室１０１に隙間ノズル１４０を収納する構成としても集塵効率を低下させることなく掃除ができるものである。
【００４６】
また、隙間ノズル１４０をノズル部１４６が管部１１４に没入した前記状態から、ノズル部１４６を突出させる場合は、操作つまみ１３０の操作片１３４を指によって図７（Ａ）に示したようにコイルばね１５１の付勢力に抗して指によって押し込み係止突起１３３を後方の係止溝１２６から離脱させた後僅かに前方にスライドさせて係合突起１３３の先端を収納室１０１つまり下部管１２０の底壁１２１ａ上に位置させ、操作片１３４から指を離すかあるいは押圧力を緩めると、操作つまみ１３０はコイルばね１５０の付勢力によって自動的に前方に移動し、前記傾斜壁１４７が傾斜壁１１６ａおよび１２６ａに当接した時点で停止し、この時、前記係止突起１３３は係止溝１２６に対応することになり、コイルばね１５１によって係止突起１３３は係止溝１２６内に落ち込み係合し、隙間ノズル１４０はこの位置に位置決めされ、ノズル部１４６は管部１１４から突出した状態に維持される。
【００４７】
また、前記操作つまみ１３０の軸部１３１が前記後方向に移動する際および停止している際は、軸部１３１は前記シール板１２９のスリット１２９ａ内にあることからスリット面によってシールされて外部からの空気の流入は防止されるようになっている。
【００４８】
上記のように隙間ノズル１４０は握り管１００に形成した収納室１０１に収納された状態で、ノズル部１４６を管部１１４から出没可能としたことから、掃除中に隙間ノズル１４０を使用とするときは前記操作つまみ１３０を操作することによって、容易に出没させることができるとともに、突出させる際の操作は操作つまみ１３０の係止突起１３３を係止溝１２６から離脱させることによりコイルばね１５０の付勢力によって自動的に突出つまり使用状態となることからその操作を容易にできるものである。また、握り管１００つまり管部１１４の開口としての連通孔１１４ａをテーパーとして他の吸込み具を接続する嵌合部としたことから、握り管１００に他の接続具例えば延長管２を介して吸込口体３を接続して掃除をしている際に、隙間ノズル１４０を使用する場面が生じたとしても、前記他の吸込み具を取り外し操作つまみ１３０を操作するという簡単な操作により、隙間ノズル１４０を使用状態とすることができるとともに用済み後は同様に操作つまみ１３０を操作するという簡単な操作によって収納できるものであり、従来のようにその都度掃除機本体の位置まで行き収納部から取り出したりあるいは収納するという煩わしい操作を排除できるものである。また、隙間ノズル１４０は握り管１００内に収納されているものであることから、掃除中に隙間ノズル１４０が落下することもなく、また、紛失するようなこともないものである。
【００４９】
なお、上記第一の実施の形態では、吸込管を握り管１００とした場合について説明したが、これは、握り管１００に限定されるものではなく例えば自動車の室内を掃除する場合等に使用される手持ち式の小型掃除機の場合においては、掃除機本体の集塵室に連通する吸込管を本体ケースに突出させて形成し、この吸込管に上述したように収納室を設けられとともに、この収納室に隙間ノズルを出没可能に設ける構成とすることにより、狭小な溝部の掃除をする場合には前記上述したように隙間ノズルのノズル部を吸込管から突出させて行い、通常の掃除をする場合は隙間ノズルつまりノズル部を吸込管内に没入させた状態として行うようにすればよいものである。このように構成した場合も、掃除をしている際に隙間ノズルを使用する場面が生じたときは、操作つまみを操作するという簡単な操作により、隙間ノズルを使用状態とすることができるとともに用済み後は同様に操作つまみを操作するという簡単な操作によって収納できるものであり、従来のようにその都度掃除機本体の位置まで行き収納部から取り出す操作、あるいは収納するという煩わしい操作を排除できるものである。また、隙間ノズルは吸込管内に収納されているものであることから、掃除中に隙間ノズルが落下することもなく、また、紛失するようなこともないものである。また、前記吸込管の開口つまり連通孔に他の吸込み具等を接続させる嵌合部として機能を持たせるように構成することにより吸込管にブラシ等が設けられた家具用ブラシ等の接続ができることから、その掃除用途を拡大できるとともに掃除効率を向上させることができるものである。
【００５０】
また、上記実施の形態においては、ガイド溝１２５、係止溝１２６をシールするシール板１２９を下部管１２０の底壁１２１ａの外側に配置する構成としたが、これは内側に配置する構成としてもよいものである。このように内側に配置する場合は、係止溝１２６はガイド溝１２５に連通させることなくガイド溝１２５の両側に離間するとともに底壁１２１ａを貫通しない凹部に形成し、係止突起１３３がシール板１２９に干渉しないように係止突起１３３と軸部１３１との間に溝状の逃げ部を形成することが望ましい。
【００５１】
また、上記実施の形態においては、吸込管としての握り管１００に把手１０５を設ける構成としたが、この把手１０５は省略することもできるものであり、また、吸込管は握り管に限定されるものでなく例えば延長管を吸込管としてもよいものである。
【００５２】
つぎに、この発明の第二の実施の形態を図９ないし図１４に基づいて説明する。
【００５３】
なお、この第二の実の形態は隙間ノズルの構成および吸込管としての握り管に形成した前記隙間ノズルを収納する構成が第一の実施の形態と異なるのみで他の構成は第一の実施の形態と同様な構成であることからその構成は省略するとともに、同一構成部分を説明する場合は同一符号を用いることとする。
【００５４】
図９において符号２００は握り管であり、この握り管２００は前部接続管２１０と後部接続管２２０とから略く字状に形成され、また、前部接続管２１０と後部接続管２２０との境界部から斜め上方に向けて把手片２３１が延出して形成されている。そして、前部接続管２１０と後部接続管２２０との内部には連通孔が形成され、この連通孔は前部接続管２１０の前端に開口し他の吸込み具が着脱可能に接続される接続口２１１となっている。また、前記後部接続管２２０には掃除機本体１０に接続される吸込みホース２０が接続されている。
【００５５】
また、前記前部接続管２１０と前記把手片２３１の上面側は把手カバー２３２によって覆われ、この把手カバー２３２と把手片２３１とで把手２３０が形成されている。
【００５６】
そして、前記前部接続管２１０の左右側壁は軸方向に沿うとともに、先端部に向かうにつれて互いに接近するように傾斜した平坦面壁２２２（図では一方側のみ図示）が形成され、この平坦面壁２２２の側部は収納部を構成しているものである。また、この前記平坦面壁２２２には、図１１に示すように軸方向に沿って形成されたガイド部としてのガイド溝２２３が形成され、このガイド溝２２３は図１２に示すように断面Ｌ字状に形成され、その奥部は係止溝２２３ａとなっている。また、前記ガイド溝２２３の軸方向両端は図１３に示すように端壁２２３ｂおよび２２３ｃにより閉じられており、この端壁２２３ｂおよび２２３ｃは当接部となっているものである。
【００５７】
つぎに、前記収納部としての平坦面壁２２２に収納される隙間ノズル２４０について説明する。
【００５８】
この隙間ノズル２４０は、図１０および図１１に示すようにそれぞれの平坦面壁２２２に収納される同一の大きさとした対称形状に形成された一対の隙間ノズル形成部材２４１から構成されている。そして、前記一対の隙間ノズル形成部材２４１は図１０および図１１に示すように、先端部下縁を後方に向かうにつれて幅広とするように傾斜状としたいわゆる剣先形状に形成されており、また、その後端部には前記平坦面壁２２２に形成されたガイド溝２２３にスライド可能に形成された被ガイド部材としての係合片２４２（一方側のみ図示）が形成されており、この係合片２４２は図１２に示すように断面Ｌ字状に形成されその先端部は前記ガイド溝２２３の係止溝２２３ａに係止され、係合片２４２がガイド溝２２３に係合されたとき係合片２４２はガイド溝２２３に抜け止めされつつスライド可能となっており、このことによって隙間ノズル形成部材２４１つまり隙間ノズル２４０は、握り管２００に対して前後方向に移動しその先端部から出没可能となっている。
【００５９】
また、隙間ノズル形成部材２４１の内の一方の隙間ノズル形成部材２４１の後部には、図１０および図１１に示すように合成樹脂からなる薄板から形成された覆い部材２４４が取り付けられており、この覆い部材２４４は略台形状に形成されるとともに、図１４に示すように一体に形成された薄膜状のヒンジ２４４ａを介して回動可能に隙間ノズル形成部材２４１の上縁に取り付けられており、この覆い部材２４４は図１１に示すように反時計方向に回動させた時は、その先端縁は他方の隙間ノズル形成部材２４１の上端縁に当接して両者の間に形成される間隙の一部を覆うようになっている。
【００６０】
また、前記両隙間ノズル形成部材２４１は、図１１に示すように握り管２００の前部接続管２１０の平坦面壁２２２が先端部に向かにつれて傾斜していることから前方に突出した際には互いに接近し、先端部程両者の間隙は小さくなるようになっている。
【００６１】
そして、前記一対の隙間ノズル形成部材２４１はそれぞれに形成された、前記係合片２４２を前記平坦面壁２２２に形成したガイド溝２２３に係合させることによって、平坦面壁２２２つまり握り管２００に取り付けられるものである。
【００６２】
つぎに、前記平坦面壁２２２に取り付けられた一対の隙間ノズル形成部材２４１によって形成される隙間ノズル２４０の動作について説明する。
【００６３】
まず、隙間ノズル２４０を使用しないで掃除をする場合は、前記一対の隙間ノズル形成部材２４１をその係合片２４２をガイド溝２２３に沿って後方に係合片２４２が端壁２２３ｃに当接するまで移動させる。この状態では図９、図１０に示すように両隙間ノズル形成部材２４１の先端部は前記接続管２１０の端面よりも僅かに後方に位置する、つまり両隙間ノズル形成部材２４１は平坦面壁２２２の位置に収納されるものである。
【００６４】
この状態で握り管２００つまり前部接続管２１０の接続口２１１に他の吸込み具例えば上記第一の実施の形態と同様に吸込口体３を接続した延長管２を接続して床面等を掃除するものである。そして、延長管２等の他の吸込み具を接続する場合、あるいは前部接続管２１０の接続口２１１から直接吸塵する場合は、握り管２００の先端から隙間ノズル形成部材２４１は突出していないことから邪魔になることはないものである。
【００６５】
つぎに、隙間ノズル２４０を用いて掃除をする場合について説明する。他の吸込み具を用いて掃除を行っている際等に、隙間ノズル２４０を使用する必要が生じた場合は、他の吸込み具を接続口２１１から取り外して前記隙間ノズル形成部材２４１をその係合片２４２をガイド溝２２３に沿って前方に係合片２４２が端壁２２３ｂに当接するまでつまり所定量移動させる。この状態では両隙間ノズル形成部材２４１の先端部は前記接続管２１０の端面よりも所定量前方に突出するとともに、両隙間ノズル形成部材２４１は握り管２００つまり接続管２１０から突出するにつれて前述したように互いに接近するようになっていることから、両隙間ノズル形成部材２４１の前記突出した部分は互いに接近し両者間の間隙は、先端部程狭く形成される。つまり、握り管２００の接続管２１０の先端よりも突出した両隙間ノズル形成部材２４１によって隙間ノズル２４０が形成されるものである。また、両隙間ノズル形成部材２４１の前記突出した部分の間隙は狭いことからこの間隙を流れる吸込み気流の風速は大きく、このことによって狭小な溝部内の塵埃は効率よく吸引されるものである。また、両隙間ノズル形成部材２４１の前記突出した部分の間隙を流れる吸込み気流の風速をさらに大きくして吸込み力を大きくしたい場合は、前記覆い部材２４４を図１１に示すように反時計方向に回動させて、両隙間ノズル形成部材２４１によって形成される前記間隙の内の握り管２００側の間隙を覆うようにすればよいものである。また、この時覆い部材２４４は両隙間ノズル形成部材２４１によって形成された間隙の上部を覆うのみであり、間隙の下側は解放されていることから狭小な溝部内の塵埃の吸込は効率よくなされるものである。
【００６６】
上記のように、掃除機本体１０の集塵室１４に連通され先端部に他の吸込み具が着脱可能に接続される接続口２１１を有する吸込管としての握り管２００の両側壁に収納部としての平坦面壁２２２を形成するとともに、この両平坦面壁２２２にそれぞれ軸方向に沿って形成されガイド部としてのガイド溝２２３を形成し、また、隙間ノズル２４０を、ガイド溝２２３にガイドされる被ガイド部としての係合片２４２を有し両平坦面壁２２２に握り管２００つまり前部接続管２１０の先端から所定量出没する一対の隙間ノズル形成部材２４１によって形成し、この一対の隙間ノズル形成部材２４１を所定量突出させた状態で隙間ノズル２４０として機能させる構成とし、隙間ノズル２４０の使用時には隙間ノズル形成部材２４１を接続口２１１の前方に突出させて隙間ノズル２４０として機能させ、不使用時には平坦面壁２２２に収納して握り管２００の前部接続管２１０の接続口２１１よりも突出させないようにしたことから、握り管２００に他の接続具例えば吸込口体３を接続して掃除をしている際に、隙間ノズル２４０を使用する場面が生じたとしても、平坦面壁２２２から隙間ノズル形成部材２４１を握り管２００の先端部つまり前部接続管２１０の先端から前方に突出させるだけでよく、また使用しない時は隙間ノズル形成部材２４１を没入させる操作のみでよいことから操作が容易であり、従来のようにその都度掃除機本体の位置まで行き収納部から取り出したりあるいは収納するという煩わしい操作を排除できるものである。また、隙間ノズル２４０は握り管２００の両側壁に設けた平坦面壁２２２の側部に収納されているものであることから、掃除中に隙間ノズルが落下することもなく、また、紛失するようなこともないものであり、さらに、握り管２００の接続口２１１あるいは接続口２１１に接続した他の吸い込み具を介して掃除をする場合においても、握り管２００の連通孔を流れる吸込み風量は減少することはなく、したがって、集塵効率は低下することがないものである。
【００６７】
なお、上記第二の実施の形態においては、吸込管を握り管２００とする構成としたが、これは第一の実施の形態の場合と同様に掃除機が手持ち式の小型掃除機である場合においては、掃除機本体の集塵室に連通する吸込管を本体ケースに突出させて形成し、この吸込管の両側壁に上述したように平坦面壁を形成しこの側部に収納部を設け、この収納部に一対の隙間ノズル形成部材を吸込管の先端に対して出没可能に設ける構成とするようにしてもよいものである。このように構成した場合も、掃除をしている際に隙間ノズルを使用する場面が生じたときは、一対の隙間ノズル形成部材をスライドさせて突出させるという簡単な操作により、隙間ノズルを使用状態とすることができるとともに用済み後は同様に一対の隙間ノズル形成部材をスライドさせて没入させるという簡単な操作によって収納できるものであり、従来のようにその都度掃除機本体の位置まで行き収納部から取り出したりあるいは収納するという煩わしさ操作を排除できるものである。また、隙間ノズルつまり隙間ノズル形成部材は吸込管の側部の収納部に収納されているものであることから、掃除中に隙間ノズルが落下することもなく、また、紛失するようなこともないものである。また、前記吸込管の開口つまり連通孔に他の吸込み具等を接続させる嵌合部としての機能を持たせるように構成することにより吸込管にブラシ等が設けられた家具用ブラシ等の接続ができることから、その掃除用途を拡大できるとともに掃除効率を向上させることができるものである。また、上記第二の実施の形態においては、握り管２００の両側に形成した平坦面壁２２２かせ先端に向かうにつれて接近するように傾斜させて隙間ノズル形成部材２４１の間隙を先端部程狭くなるようにしたが、これは隙間ノズル形成部材２４１を突出した際に互いに接近するように弾性変形する部材によって構成するようにしてもよい。しかし、第二の実施の形態のように構成した場合は、両隙間ノズル形成部材２４１は単なる平板として形成できるという利点がある。
【００６８】
また、上記第二の実施の形態では、覆い部材２４４を一方の隙間ノズル形成部材２４１にヒンジによって回動可能に設ける構成としたが、これは例えば隙間ノズル形成部材の一方または、両方に握り管２００の上面部を覆うように覆い部材を一体に形成し、隙間ノズル形成部材を前方に移動させて突出した際、両隙間ノズル形成部材間の間隙の上部を覆うように構成してもよいものである。このように構成した場合は、隙間ノズル形成部材を突出させると同時に間隙は覆われるという利点がある。しかし第二の実施の形態のように構成した場合は、覆い部材２４４によって間隙を覆うか覆わないかによって間隙を流れる吸込み気流の風速の調節ができるという利点がある。
【００６９】
【発明の効果】
上記のように構成した請求項１記載の発明は、掃除機本体の集塵室に連通され先端部に開口を有し、内部に収納室を設けるとともにこの収納室の周壁に軸方向に沿って形成されたガイド溝とこのガイド溝に沿って所定距離離間して形成した係止部が設けられた吸込管内に、前記収納室の内周壁との間にバイパス空間を形成する外径とするとともに係合凹部を有する筒状部とこの筒状部から延出して形成され内部に連通孔を有する断面略方形状に形成されたノズル部からなる隙間ノズルを、前記ノズル部を前記吸込管の開口から出没可能にして収納し、また、操作つまみの操作によって操作つまみに設けた被係止部を前記係止部に係脱させて移動させてノズル部を前記開口から出没させるように構成し、隙間ノズルの使用時にはノズル部を開口から突出させ、不使用時には収納室内に収納して開口から没入させるようにしたことから、使用および不使用時には収納室に収納されている隙間ノズルのノズル部を吸込管の開口から出没させるだけでよく、使用状態、不使用状態とする操作が容易であるとともに、隙間ノズルは吸込管の収納室に収納されていることから使用中の脱落および紛失を防止できる、という効果を有するものである。
【００７０】
また、請求項２記載の発明は請求項２記載の発明は、上記請求項１記載の発明における吸込管の開口に他の吸込み具を着脱可能とする嵌合部を形成する構成としたことから、請求項１記載の発明の効果に加えて、吸込管に他の吸込み具を接続できることから種々の被掃除面の掃除ができるという効果を有するものである。
【００７１】
また、請求項３記載の発明は、請求項１記載または請求項２記載の発明において、吸込管の収納室に前記隙間ノズルをそのノズル部を吸込管の開口から突出させる方向に付勢するコイルばねを配設した構成としたことから、請求項１記載の発明または請求項２記載の発明の効果に加えて、隙間ノズルのノズル部を開口から突出させる場合、操作つまみの操作により、被係止部を開口から離れている係止部から離脱させることにより前記コイルばねの付勢力により自動的に突出させることができる、という効果を有するものである。
【００７２】
また、請求項４記載の発明は、掃除機本体の集塵室に連通され先端部に他の吸込み具が着脱可能に接続される接続口を有するとともに両外側にそれぞれ軸方向に沿って形成されたガイド部を有する収納部を設けた吸込管と、前記ガイド部にガイドされる被ガイド部を有し、前記接続口より前方に向けて出没可能に前記収納部に設けられ、突出状態で互いに対向面によって狭小な間隙を形成し隙間ノズルを形成する隙間ノズル形成部材を設ける構成とし、隙間ノズルの使用時には隙間ノズル形成部材を接続口の前方に突出させて隙間ノズルを形成し、不使用時には収納部に収納して接続口よりも突出させないようにしたことから、使用時および不使用時には収納部に収納されている隙間ノズル形成部材を吸込管の接続口よりも前方に出没させるようにするだけでよいことから、使用および不使用とする操作を容易にすることができるとともに、隙間ノズルは吸込管の収納室に収納されていることから使用中の脱落および紛失を防止できるという効果を有するものである。
【００７３】
請求項５記載の発明は、請求項４記載の発明において前記両隙間ノズル形成部材を突出した際に両隙間ノズル形成部材の少なくとも前記接続口側上部を覆う覆い部材を設けたことから、請求項４記載の発明の効果に加えて、両隙間ノズル形成部材の少なくとも接続口側上部が覆い部材によって覆われることからさらに吸塵力を高めることができるという効果を有するものである。
【図面の簡単な説明】
【図１】本発明の第一の実施の形態を示す電気掃除機の斜視図。
【図２】上記実施の形態の電気掃除機の吸込管（握り管）の軸方向に断面した要部断面図。
【図３】上記実施の形態の電気掃除機の吸込管（握り管）の分解斜視図。
【図４】上記実施の形態の電気掃除機の吸込管（握り管）の断面図（図２のＸ−Ｘ線での断面）
【図５】上記実施の形態の電気掃除機の隙間ノズルの部分分解斜視図。
【図６】上記実施の形態の電気掃除機の吸込管（握り管）と操作つまみとの関係を示す斜視図。
【図７】  上記実施の形態の電気掃除機の隙間ノズルを移動させる場合の操作つまみの動作を説明する図であって、（Ａ）は係止突起が係合溝に係合している状態を示す図、（Ｂ）は係止突起が係合溝から離脱した状態を示す図、（Ｃ）は操作つまみの移動動作を示す図である。
【図８】上記実施の形態の電気掃除機の吸込管（握り管）の開口の嵌合部の他の実施の形態を示す断面図。
【図９】本発明の第二の実施の形態である隙間ノズルを吸込管（握り管）に取り付けた状態を示す図。
【図１０】上記第二の実施の形態における隙間ノズルを吸込管に収納した状態を示す部分図拡大斜視図。
【図１１】上記第二の実施の形態における隙間ノズルを吸込管から突出させた状態を示す部分斜視図。
【図１２】上記第二の実施の形態における吸込管のガイド部（ガイド溝）と隙間ノズルの被ガイド部（係合片）との関係を示す断面図。
【図１３】上記第二の実施の形態における吸込管のガイド部（ガイド溝）の斜視図。
【図１４】上記第二の実施の形態における隙間ノズル形成部材と覆い部材との取付部を示す部分断面図。
【図１５】従来の電気掃除機の隙間ノズルを収納する形態を示す斜視図。
【図１６】上記従来の電気掃除機の隙間ノズルを収納する他の形態を示す斜視図。
【符号の説明】
１          電気掃除機
１０          掃除機本体
１１          電動送風機
１２          電動送風機室
１３          集塵装置
１４          集塵室
２０          吸込みホース
１００        握り管（吸込管）
１０１        収納室
１１４ａ      連通孔（吸込管の開口）
１１６ａ、１２６ａ    隙間ノズルの傾斜壁（被係止縁）
１２５        ガイド溝
１２６        係合溝（係合部）
１３０        操作つまみ
１３１        軸部
１３２        係止部
１３３        係止突起（被係止部）
１４０        隙間ノズル
１４１        筒状部
１４２        嵌合溝
１４３        係合凹部
１４６        ノズル部
１５０        コイルばね（付勢手段）
【図１】
0004018201.tif 000002
【図２】
0004018201.tif 000003
【図３】
0004018201.tif 000004
【図４】
0004018201.tif 000005
【図５】
0004018201.tif 000006
【図６】
0004018201.tif 000007
【図７】
0004018201.tif 000008
【図８】
0004018201.tif 000009
【図９】
0004018201.tif 000010
【図１０】
0004018201.tif 000011
【図１１】
0004018201.tif 000012
【図１２】
0004018201.tif 000013
【図１３】
0004018201.tif 000014
【図１４】
0004018201.tif 000015
【図１５】
0004018201.tif 000016
【図１６】
0004018201.tif 000017